(57)【要約】［課題］ボルト、ナット、ターンバックルの締結の緩みを防止することである。［解決手段］ナット（３）からの、締め付け荷重を受けるターンバックルの両端面に高さ寸法が大きい第１荷重支持部（４）と高さ寸法が第１荷重支持部（４）より小さい第２荷重支持部（５）とを設けボルト（２）とナット（３）をターンバックルに締め付けたときナット（３）の締め付け面に加えられる負荷が第１荷重支持部（４）側より第２荷重支持部（５）側とで異なるようにする。したがってナット（３）はボルト（２）に対して傾斜姿勢に強制されることになり、ボルト（２）とナット（３）との噛み合い部分の隙間が減少してボルト（２）とナット（３）のターンバックルの締結の緩みを防止することになる。【選択図】  図１
2004197539.tif 000002
【特許請求の範囲】
【請求項１】
両端にめねじが設けれたターンバックル（６）と前記ターンバックルに設けれためねじに対して軸心を中心とした、相対回転によりねじ結合されるボルト部（２）を有し上記ターンバックルの両端面に高さ寸法が大きく形成された第１荷重支持部本体（４）と上記ターンバックルの径方向の他方側に設けられて高さ寸法か前記第１荷重（４）支持部より小さく形成された第２荷重支持部（５）を有し前記パイプの外側に重ねて前記ボルト（２）にねじ結合される締付けナット（３）とを有し前期ナット（３）を前記ターンバックル（６）に締め付けた際に前記ボルト（２）に対して前記ナット（３）が傾斜することを特徴とする建築用床束。
【請求項２】
請求項１記載のターンバックル（６）の外周に２つの作用面（７）が、上下交互に２ヶ所形成されていること特徴とする建築用床束。
【請求項３】
請求項１記載のボルト部の端面にそれぞれ上、下に受が設けられていることを特徴とする建築用床束。
【発明の詳細な説明】
【０００１】
［発明の属する技術分野］
本発明は木造建築用の大引と基礎等を、互いに接続固定する建築用部材に関する。
【０００２】
［従来の技術］
木造建築用の大引を基礎等に接続固定する締結具としては、古くから用いられている角材を切断し大引きと基礎石等の間におく、従来型が知られている又最近ではターンバックルを使用してターンバックルと、締めつけナットの間にスプリングワッシャを装着し、結合部の摩擦力の低下を抑制して締結の緩みを防止するようにしている。
【０００３】
［発明が解決しようとする課題］
しかし角材を使用した場合は、白蟻腐抗菌の心配があり又、スプリングワッシャのような緩み止め部材を用いた場合であっても、ナットとボルトの締結が軸方向に向く荷重のみで行われるという点では、この緩み止め部材を用いずに締結を行った場合と同様である。そのため、継続的に振動が加えられた場合や衝撃が大きい場合等に締結の緩みを完全に防止することは困難であった。
【０００４】
本発明の目的は床束のボルト、ナット及びターンバックルの締結の緩み防止することにある。
【０００５】
［課題を解決するための手段］
本発明の床束は、ボルト及びナットにより締結されるターンバックルで前記ターンバンクル（６）の両端面の前記ナット締付面に設けられたゆるみを防止するターンバックルであって、前記ナットの締め付け面から加えられる締め付け荷重により、前記ターンバックルに設けられためねじの径方向の一方側に設けられて前期荷重を支持し高さ寸法が大きく形成された、第１荷重支持部（４）と前記めねじの径方向の他方側に設けられて前記ナットの締め付け面から加えられる締め付け荷重を支持し高さ寸法が前記第１荷重支持部（４）より小さく形成された第２荷重支持部（５）とを有し、前記ナット（３）と前期ボルト（２）とを締め付けたときに、前記ナット（３）の締め付け面に加わる負荷が前記第１荷重支持部側（４）と前記第２荷持部側（５）とで異なることを特徴とする。
【０００６】
本発明にあってはターンバックル端面にそれぞれ高さ寸法の異なる、荷重支持部を設けてボルトとナットを締め付けたときに、ナット締め付け面に加わる負荷を第１荷重支持部側（４）と第２荷重支持部側（５）とで異なるようにしたので、ボルトとナットとの噛み合い部分の隙間が減少してボルトとナット及びターンバックルとの締結の緩みを防止することができる。
【０００７】
［発明の実施の形態］
以下、本発明の実施の形態を図面に基づいて詳細に説明する。
【０００８】
図１は本発明の一実地の形態である床束を示す斜視図であり。
【０００９】
床束のターンバックルのめねじの径方向の一方側つまり図中右側には第１荷重支持部（４）が設けられており、また、めねじの径方向の他方側つまり図中左側に第２荷重支持部（５）が設けられているこれらの荷重支持部（４）（５）はナット（３）締付面に負荷される締め付け荷重を支持するようになっている。
【００１０】
図２は図１に示すナットの使用過程（締め付け前）を示す断面図であり、図３は図１に示すナットの使用過程（締め付け状態）を示す断面図である。
【００１１】
図２に示すように荷重支持部（４）（５）の高さ寸法Ｈ．ｈが異なるため、ボルト（２）にナット（３）を締め付ける前のナット締付面部はターンバックルの締付面との間に、図中左下がりに約２°傾斜した状態となっている・そのためナット（３）締め付け面と、ターンバックル（６）の締付面との間のは図２中に示すようにその一方側つまり図中左側に隙間上が生じた状態となっている。
【００１２】
この状態からナット（３）でターンバックル（６）を締め付けると、ターンバックル座面部は締付けナット（３）の締め付け面から締め付け荷重を負荷されることになる、このときナット（３）の締め付け面に加えられる負荷が高さ寸法の違う支持とで異なる為ナット（３）はボルト（２）に対して傾斜姿勢に強制されることになりボルト（２）とナット（３）との噛み合い部分の隙間が減少してボルト（２）とナット（３）ターンバックル（６）の締結の緩みを防止することができる。
【００１３】
締め付けが完了し所定の締め付け荷重を負荷するナットの締め付け面には当然負荷が加えられるが、この負荷はナットの締め付面の第１荷重支持部（４）側の方が第２荷重支持部（５）側より大きくなる、これは第１荷重支持部（４）の高さ寸法Ｈが第２荷重支持部（５）側より第１荷重支持部（４）側で大きくなるためである、このようにナットの締め付面の負荷が第１荷重支持部（４）側の方が第２荷重支持部（５）側より大きくなることにより、ナットはボルトに対して傾斜姿勢を強制されることになる。
【００１４】
このようにターンバックルの両端面にそれぞれ高さ寸法Ｈ、ｈの異なる荷重支持部（４）（５）を設けてボルト、ナットを締め付けたときにナットの締め付け面に加わる負荷を第１荷重支持部（４）と第２荷重支持部（５）側とで異なるようにしたのでナットがボルトに対して傾斜姿勢に強制されてボルトとナットと  噛み合い部分の隙間が減少しボルトとナットとターンバックルの締結の緩みを防止することができる。
【００１５】
図４は図１に示すターンバックルの締め付け面の変形例を示す断面図であり、ターンバックルの両端面に第１、第２の荷重支持部を作らず図４のような座金キャップをターンバックルの両端面にかぶせても良い。
【００１６】
この場合図１に示す場合と同様ナットをボルトに締め付けると図６に示すように、ナットの負荷は第２荷重支持部側より１荷重支持部で大きくなり、ナットの締め付け面に加わる負荷は第２荷重支持部側の方が大きくなる、したがって図３に示す場合と同様にナットは、ボルトに対して傾斜姿勢に強制されることになり、ボルトとナットとの噛み合い部分の隙間が減少してボルト、ナットとターンバックルとの締結の緩みを防止することが出来る。
【００１７】
さらに上、下２本のボルトの端面には大引きを受ける受けプレートが又基礎に固定する底プレートがついている。
【００１８】
本発明は前記実施の形態に限定されるものでなく、その要旨を逸脱しない範囲で種々変更可能であることはいうまでもない、たとえば前記実地の形態においてはこの床束は木造建築物における木材で形成された大引き等に対して用いれているがこれに限らず、軽量鉄骨を用いた建築物にあるいはユニットバスの支え等として使用しても良い、あるいはユニットバスの支えとして、又天床とタンス等を接合して、地震等で倒れないよう固定具として使用してもよい。
【００１９】
［発明の効果］
本発明によればターンバックルの端面にそれぞれ高さ寸法の異なる荷重支持部を設けてボルトとナットを締め付けたとき、ナットの負荷を第１荷重支持部側と第２荷重支持部側で異なるようにしたので、ボルトとナットの噛み合い部分の隙間が減少してボルトとナットとターンバックルの締結の緩みを防止することができる。
【図面の簡単な説明】
【図１】本発明の一実地の形態である床束を示す斜視図である。
【図２】図１に示す床束の使用過程（締め付け前）を示す断面図である。
【図３】図１に示す床束の使用過程（締め付けた状態）を示す断面図である。
【図４】座金キャップの断面図である。
【図５】図１に示す床束の変形例（座金キャップを使用）の使用過程（締め付け前）を示す断面図である。
【図６】図１に示す床束の変形例（座金キャップを使用）の使用過程（締め付けた状態）を示す。
【符号の説明】
１、  床束
２、  ボルト
３、  ナット
４、  第１荷重支持部
５、  第２荷重支持部
６、  ターンバックル
７、  作用面
８、  座金キャップ
９、  受けプレート
１０、底プレート
【図１】
2004197539.tif 000003
【図２】
2004197539.tif 000004
【図３】
2004197539.tif 000005
【図４】
2004197539.tif 000006
【図５】
2004197539.tif 000007
【図６】
2004197539.tif 000008